(57)【要約】【課題】ドーム型カメラの半球状の撮像窓を良好に保つことを可能とするとともに、交換などの保守作業を片手で容易に行えるドーム型のカメラカバーを提供する。【解決手段】  設置対象に取り付けられるカメラ基部と該カメラ基部に係止される半球状の撮像窓とを有したドーム型カメラの撮像窓を外部から覆うドーム型のカメラカバーであって、内側に中空部を有し該中空部にカメラ基部を挿通して該カメラ基部の外周面と係合する固定体と、少なくとも光を透過する性質を有した半球状のカバー体と、を有し、固定体とカバー体とが係脱自在に構成されることを特徴としたドーム型のカメラカバー。【選択図】  図１
2010206621.tif 000002
【特許請求の範囲】
【請求項１】
設置対象に取り付けられるカメラ基部と該カメラ基部に係止される半球状の撮像窓とを有したドーム型カメラの前記撮像窓を外部から覆うドーム型のカメラカバーであって、
内側に中空部を有し該中空部に前記カメラ基部を挿通して該カメラ基部の外周面と係合する固定体と、
少なくとも光を透過する性質を有した半球状のカバー体と、を有し、
前記固定体と前記カバー体とが係脱自在に構成されることを特徴としたドーム型のカメラカバー。
【請求項２】
さらに、前記カバー体は、
可撓性を有して周縁部分に形成されるフランジを備え、
前記固定体は、
前記撮像窓側となる端部に前記フランジと係合して前記カバー体を支持する係支片を複数備えた請求項１記載のドーム型のカメラカバー。
【請求項３】
さらに、前記固定体は、
前記係支片の前記設置対象側から該係支片に対して当接／離間が自在となる移動自在な係支補助部を備えた請求項２記載のドーム型のカメラカバー。
【請求項４】
前記係支補助部は、内側に中空部を有して前記固定体の内側に沿うように設けられるとともに、少なくとも内縁部が弾性材にて形成される請求項３記載のドーム型のカメラカバー。
【請求項５】
前記カバー体は、ポリエチレン樹脂、ポリプロピレン樹脂、ポリ塩化ビニル樹脂、ポリ塩化ビニリデン樹脂、ポリスチレン樹脂、ポリ酢酸ビニル樹脂の何れかで形成された請求項１から４の何れかに記載のドーム型のカメラカバー。
【発明の詳細な説明】
【技術分野】
【０００１】
本発明は、ドーム型カメラの撮像窓を外部から覆うドーム型のカメラカバーであって、特に、取付け取外しの作業を容易しつつ取付け時の安定性を向上させたドーム型のカメラカバーに関する。
【背景技術】
【０００２】
従来、天井などの設置対象に監視カメラを設置して、その監視領域を外部から監視したり、撮像される画像データを記録する監視装置が知られている。
監視カメラは、通常、カメラユニットを保護するために、カメラユニットを収納するとともに、当該カメラユニットの撮像部や撮像レンズと対向する部分に透明又は透光性素材の撮像窓を有したハウジングを備えている。
このような監視カメラにおいて、撮像窓は外部に露出した状態となっているために、埃や汚れが付着しやすく、特に、厨房などの日常的に粘度の高い油膜が付着しやすい環境下にあっては、頻繁に且つ手間をかけて撮像窓を清掃しなければならないという問題がある。
【０００３】
かかる問題に対して、特許文献１は、防犯カメラの窓部をフィルムで覆って窓部の汚れを防止することを提案している。特許文献１には、防犯カメラの窓部を挟むようにロール上のフィルムとこのフィルムの巻き取り部を設けて、窓部上でフィルムをスライドさせることにより、窓部を覆うフィルムを汚れのないものとして防犯カメラの視界を良好に保つ汚れ防止装置が開示されている。
【先行技術文献】
【特許文献】
【０００４】
【特許文献１】特開２００５−１２７３７号公報
【発明の概要】
【発明が解決しようとする課題】
【０００５】
特許文献１の汚れ防止装置では、撮像窓上を外部からフィルムで覆うとともに、このフィルムを交換可能とすることで、粘度の高い油膜などが付着する環境下であっても、窓部を良好に保つことが可能となる。
【０００６】
しかしながら、特許文献１の従来の手法は、平面状の撮像窓上でフィルムをスライドさせるものであり、撮像窓が半球状となるドーム型カメラについては何ら考慮されていない。
【０００７】
ドーム型カメラは、半球状の撮像窓内側にカメラユニットを収納しており、外部からその撮影方向を判別し難いという特徴がある。また、外観が球状であることから、天井に対する異物感が少なく、さらに、人体検知器や火災検知器などその他装置と似通った形状であるために一見してカメラと判別し難いという特徴もある。このような点から、近年ではドーム型カメラの普及が進んでいるところである。
しかし、上述したように、従来の汚れ防止装置では、フィルムによりドーム型カメラの半球状の窓部全体を覆うこともスライドさせることも考慮がないために、ドーム型カメラの窓部を良好に保つことができないという問題がある。
【０００８】
また、通常、監視カメラは、撮像視野を広くとるために天井など高所に設置されるものであるが、従来の汚れ防止装置では、フィルムカートリッジを交換する際に、カメラのハウジング前面に設けられたフィルムカバーを外し、その内部にフィルムを充填するとともにフィルムカートリッジとフィルム巻き取り部との間にフィルムを張る作業が発生するために、交換手順が煩雑となり、高所作業における危険性を増大させるおそれがある。
【０００９】
そこで、本発明は、ドーム型カメラにおいて半球状の撮像窓を良好に保つことを可能とするとともに、交換などの保守作業を片手で容易に行えるドーム型のカメラカバーの提供を目的とする。
【課題を解決するための手段】
【００１０】
上記の目的を達成するために本発明によるドーム型のカメラカバーは、設置対象に取り付けられるカメラ基部と該カメラ基部に係止される半球状の撮像窓とを有したドーム型カメラの前記撮像窓を外部から覆うドーム型のカメラカバーであって、内側に中空部を有し該中空部に前記カメラ基部を挿通して該カメラ基部の外周面と係合する固定体と、少なくとも光を透過する性質を有した半球状のカバー体と、を有し、前記固定体と前記カバー体とが係脱自在に構成されることを特徴とする。
【００１１】
かかる構成において、ドーム型のカメラカバーは、予め設置されているドーム型カメラの基部を固定体内側の中空部に挿通させて固定体をドーム型カメラに取り付けて、この固定体と別体の半球状のカバー体とが係合または脱離するように作用する。
【００１２】
かかる構成によれば、固定体をドーム型カメラに取り付けておくことで、半球状のカバー体を外部から係合させてドーム型カメラの撮像窓の外部を覆い撮像窓の汚れを防止できる。
また、当該カバー体を固定体から脱離させて交換することにより、粘度の高い油膜が付着するような環境であってもドーム型カメラの撮像窓を手間をかけて清掃することなく、良好な状態に維持することが可能となる。これにより、厨房など油が飛散するような監視対象において清掃等の負担なくドーム型カメラを設置することができる。
【００１３】
また、好適には、前記カバー体は、可撓性を有して周縁部分に形成されるフランジを備え、前記固定体は、前記撮像窓側となる端部に前記フランジと係合して前記カバー体を支持する係支片を複数備える。
【００１４】
かかる構成において、ドーム型のカメラカバーは、可撓性を有するフランジが固定体の複数の係支片と係合することで、半球状のカバー体を固定体に取り付け、この係合を解くことでカバー体が固定体から脱離するように作用する。
【００１５】
かかる構成によれば、フランジを押し付けるようにカバー体を固定体に嵌め込むことで、フランジが撓んで複数の係支片と係合し、カバー体を固定体に取り付けることが可能となり、また、カバー体を固定体から剥がすように引くことでフランジが撓んで係支片とフランジとの係合が解かれてカバー体が固定体から脱離する。
これにより、カバー体を交換する作業において作業者は片手でカバー体を取り付け・取り外しすることが可能となり、高所作業における安全性を確保しつつ容易に保守を行うことが可能となる。
【００１６】
また、好適には、前記固定体は、前記係支片の前記設置対象側から該係支片に対して当接／離間が自在となる移動自在な係支補助部を備える。
【００１７】
かかる構成において、ドーム型のカメラカバーは、天井などの設置対象側から係支片に対して移動自在な係支補助部を備え、カバー体と固定体とが係合した後においては、この係支補助部がフランジと係合した係支片を自重にて押圧するように作用する。
【００１８】
かかる構成によれば、係支補助部がフランジと係合した係支片を自重にて押圧することで、カバー体と固定体との係合状態を安定させることが可能となり、不意の脱落やガタツキを防止することが可能となる。
【００１９】
また、好適には、前記係支補助部は、内側に中空部を有して前記固定体の内側に沿うように設けられるとともに、少なくとも内縁部が弾性材にて形成される。
【００２０】
かかる構成によれば、係支補助部が固定体の内側に沿って設けられることで、該係支補助部により係支片を自重にて押圧際のバランスを均一とでき、また、固定体がドーム型カメラに取り付けられる際に係支補助部がドーム型カメラに当接しても、カメラの撮像窓など傷付けることを防止できる。
【００２１】
また、好適には、前記カバー体は、ポリエチレン樹脂、ポリプロピレン樹脂、ポリ塩化ビニル樹脂、ポリ塩化ビニリデン樹脂、ポリスチレン樹脂、ポリ酢酸ビニル樹脂の何れかで形成される。
【００２２】
かかる構成によれば、カバー体を柔軟性の高い樹脂で形成することにより、フランジを含むカバー体全体が可撓性を有する構成としつつ容易に成形することが可能となり、固定体とカバー体との取り付け・取り外し作業をより容易に行うことができる。
【発明の効果】
【００２３】
本発明によれば、固定体をドーム型カメラに取り付けておくことで、半球状のカバー体を外部から容易に係合させてドーム型カメラの撮像窓の外部を覆い撮像窓の汚れを防止できる。
【００２４】
また、当該カバー体を固定体から容易に脱離させることを可能として、カバー体を交換することにより、粘度の高い油膜が付着するような環境であってもドーム型カメラの撮像窓を手間をかけて清掃することなく、良好な状態に維持することができる。
【図面の簡単な説明】
【００２５】
【図１】本発明に係るドーム型のカメラカバーと、これが取り付けられるドーム型カメラを示す分解斜視図
【図２】ドーム型のカメラカバーをドーム型カメラに取り付けた状態を示す斜視図
【図３】図１を右側から見た側面図
【図４】固定体をドーム型カメラに取り付ける動作を示す部分拡大断面図
【図５】カバー体と固定体との取り付け前後の状態を示す部分拡大断面図
【図６】カバー体を固定体と係合／脱離させる際のフランジを撓みを示す部分拡大断面図
【発明を実施するための形態】
【００２６】
以下、本発明によるドーム型のカメラカバーの実施形態を図面を用いて詳細に説明する。
図１は、本発明に係るドーム型のカメラカバー１と、これが取り付けられるドーム型カメラ１００を示す分解斜視図である。図２は、ドーム型のカメラカバー１をドーム型カメラ１００に取り付けた状態を示す斜視図である。図３は、図１を図中右側から見た側面図である。
【００２７】
ドーム型カメラ１００は、カメラユニットを収納するカメラ基部１０１とカメラ基部１０１に係止された半球状の撮像窓１０２とからなるハウジング１０３を有している。このドーム型カメラ１００は、天井などに設置され撮像窓１０２を介して監視対象の領域を撮像し、カメラユニットから外部の監視装置や記録装置（図示せず）に映像信号を送出する。
なお、本実施形態では、ドーム型カメラ１００が天井設置された場合を例にして、図１から３に図示した向きを基準に上下方向を説明する。
【００２８】
ドーム型のカメラカバー１は、ドーム型カメラ１００に取り付けられる固定体２と、この固定体２に係合するカバー体３とから構成される。固定体２をドーム型カメラ１００の外周にはめ込んで固定体２とドーム型カメラ１００とを固定して、この固定体２にカバー体３を係合させることで図２に示すようにカバー体３でドーム型カメラ１００の撮像窓１０２全体を覆う。このように、かかるカバー体３で、ドーム型カメラ１００の撮像窓１０２を覆うことで撮像窓１０２が油などで汚濁することを防止することができる。また、カバー体３が汚濁した場合には、これを固定体２から取り外して別のカバー体３と交換することで、容易にドーム型カメラ１００の撮像視界を良好なものとすることが可能となる。
【００２９】
まず、カバー体３について説明する。
カバー体３は、光を透過する素材にて透明又は透光性を有して形成される。カバー体３は、半球状のドーム部３１を有し、このドーム部３１の周縁部分にはフランジ部３２が外側に向けて突出して設けられている。
【００３０】
また、カバー体３は、柔軟性の高い樹脂材にて成形され、可撓性を有している。樹脂材としては、汎用プラスチック類が好ましく、例えば、ポリエチレン (PE)、ポリプロピレン (PP)、ポリ塩化ビニル (PVC)、ポリ塩化ビニリデン、ポリスチレン (PS)、ポリ酢酸ビニル(PVAc)などである。本実施形態ではポリ塩化ビニル (PVC)にて成形する例について説明する。
なお、ドーム部３１とフランジ部３２を別素材にて成形してもよく、この場合、少なくともドーム部３１が透明又は透光性を有していればよく、また、少なくともフランジ部３２が柔軟性素材にて成形されればよい。
【００３１】
次に、固定体２について説明する。
固定体２は、内側に中空部２０を有した環状のケース２１を備えている。このケース２１は内周面に内側に突出するリブ２２が形成されており、このリブ２２の上方にドーム型カメラ１００の基部１０１と係合するカメラ固定部２３が設けられ、リブ２２の下方にはカバー体３と咬合してカバー体３を支持する係支片２４が設けられている。また、固定体２は、その内周に環状の係支補助部２５を有している。カメラ固定部２３および係支片２４は、ケース２１の内周上に複数設けられており、本実施形態では、図１に示すように等間隔で３箇所に設けられる。
なお、これに限定されず、カメラ固定部２３および係支片２４は、少なくともケース２１の内周２箇所以上に設けられていればよい。
【００３２】
図４を用いてカメラ固定部２３の構成を説明する。図４は、図３に二点差線で示した部分Ａの拡大断面図である。カメラ固定部２３は、基端がケース２１のリブ２２に固定され先端がケース２１内周から上方に延出するように設けられる支持板２３１と、この支持板２３１より内周側に設けられるとともに基端がケース２１のリブ２２に固定され先端が支持板２３１の先端より上方に延出する締付片２３２とを備える。支持板２３１は、先端側に締付調整部材となる締付ねじ２３３を挿通するねじ孔２３４が形成されている。締付ねじ２３４は、支持板２３１のケース２１外周側より挿通されて先端が締付片２３２に当接する。締付片２３２は、支持板２３１より薄い又は柔軟性の高い材料、例えば弾性変形可能な金属薄板またはゴム材などで形成され、締付ねじ２３３の押圧力によりケース２１内側に撓むよう変形する。
【００３３】
以下、固定体２をドーム型カメラ１００に固定する場合について説明する。図４（ａ）は、固定体２をドーム型カメラ１００の外周にはめ込んだ状態を示している。まず、図４（ａ）に示すように、固定体２をドーム型カメラ１００の撮像窓１０２より上方となる基部１０１の外周にはめ込んで位置決めする。この状態で、締付ねじ２３３を支持板２３１に螺入すると、締付ねじ２３３の先端が締付片２３２を押圧し、締付片２３２がケース２１の内側に撓んでドーム型カメラ１００の基部１０１に当接する。図４（ｂ）は、このように締付片２３２がケース２１の内側に撓んでドーム型カメラ１００の基部１０１に当接した状態を示している。そして、各カメラ固定部２３に対して同様に締付ねじ２３３を螺入することにより、複数の締付片２３２によりドーム型カメラ１００の基部２３２を締め付けて、この締め付け力により固定部２がドーム型カメラ１００に固定される。
【００３４】
次に、図５を用いて係支片２４および係支補助部２５についてを説明する。図５は、図４同様に図３中二点差線で示した部分Ａの拡大断面図である。
係支片２４は、基端がケース２のリブ２１に固定され先端が下方を向いて立設している。係支片２４の先端にはケース２１の内側を向いて鉤状爪２４１が形成される。カバー体３と固定体２とを係合させる際には、この鉤状爪２４１がカバー体３のフランジ３２と咬合する。フランジ３２との咬合動作については後述する。図５（ａ）はカバー体３と固定体２とが係合する前の状態を示し、図５（ｂ）はカバー体３と固定体２とが係合した状態を示している。
【００３５】
図５に示すように、係支片２４の鉤状爪２４１上方には、内側に中空部を有した環状の係支補助部２５がケース２１内周に沿って設けられる。係支補助部２５は、ケース２１のリブ２２と鉤状爪２４１との間で移動自在に設けられており、図のように鉛直方向に向いたドーム型カメラ１００に取り付けられた場合には、自重により下方向に移動して鉤状爪２４１に当接している（図５（ａ））。また、鉤状爪２４１がフランジ３２と咬合している（固定体２にカバー体３が取り付けられている）状態では、係支補助部２５は、自重によりフランジ３２に当接することとなる（図５（ｂ））。これにより、固定体２とカバー体３との係合を係支補助部２５の自重で押さえつけることとなり、両者の係合を支持してガタツキなどを防止し、不用意に係合が解かれることを防止することが可能となる。
【００３６】
また、本実施形態において、係支補助部２５は、硬質ゴムにて形成されている。このように係支補助部２５を弾性素材にて形成することで、固定体２をドーム型カメラ１００にはめ込むときに、一定範囲内で移動自在な係支補助部２５が上下左右に移動してドーム型カメラ１００に接触しても、ドーム型カメラ１００の撮像窓１０２や基部１０３を傷つけることがない。
なお、係支補助部２５は、その全体を弾性素材にて形成する例に限定されず、少なくとも内縁部分がゴム材や柔軟性樹脂などの弾性素材にて形成されていればよい。
【００３７】
次に、図６を用いてカバー体３のフランジ３２を固定体２の係支片２４１と咬合させる構成を説明する。図６は、図４、５同様に図３中二点差線で示した部分Ａの拡大断面図である。図６において、図６（ａ）は、カバー体３を固定体２と係合させる際のフランジ３２を撓みを示す図であり、図６（ｂ）は、カバー体３を固定体２から脱離する際のフランジ３の撓みを示す図である。
図６（ａ）に示すように、利用者がカバー体３を手で持って、カバー体３の開口側を固定体２に押し込むと、カバー体３のフランジ３２が係支片２４の鉤状爪２４１に当接し、押込み力によりフランジ３２が弾性変形する。また、このとき、係支補助部２５は、押込み力によりカバー体３に押されて上方に移動する。そして、弾性変形したフランジ３２が自己の弾性力から逃れるように鉤状爪２４１と係支補助部２５との間に形成された空隙の内側に入り込んで鉤状爪２４１とフランジ３２が咬合する。カバー体３が利用者の押込み力から解放されると、図５（ｂ）に示したように、係支補助部２５は自重により下方に移動してフランジ３２と鉤状爪２４１の咬合に自重による押圧力を付加して、固定体２とカバー体３との係合状態を安定させるよう補助する。
【００３８】
これにより、利用者が予めドーム型カメラ１００に固定された固定体２にカバー体３を取り付ける際には、カバー体３を押し込むようにするだけで、フランジ部分３２が変形して係支片２４と咬合し、片手であっても容易にカバー体３を固定体２に取り付けることができ、高所作業における作業性を高めることができる。
また、カバー体３を固定体２に取り付けた後に、係支補助部２５が固定体２とカバー体３との係合状態を安定させるよう補助することにより、不用意に係合が解かれることを防止することが可能となる。
【００３９】
また、固定体２とカバー体３とが係合している状態において、図６（ｂ）に示すように、利用者がカバー体３を手で持って、カバー体３を固定体２から脱離する方向（下方向）に引っ張ると、カバー体３のフランジ３２が鉤状爪２４１と係支補助部２５との押圧力に抗して弾性変形する。そして、さらにカバー体３を下方向に引っ張ることでフランジ３２と鉤状爪２４１との咬合が解かれ、カバー体３が固定体２から脱離する。このとき、図５（ａ）に示したように係支補助部２５は自重により下方に移動して鉤状爪２４１に当接する。
【００４０】
これにより、固定体２に取り付けられたカバー体３に、汚濁などによる交換の必要が生じたときは、カバー体３を固定体２から引き剥がすように引っ張るだけで、フランジ３２が弾性変形して容易にカバー体３を取り外すことが可能となる。
なお、本実施形態においては、フランジ３２だけでなくカバー体３の全体を柔軟性の高い樹脂材料にて成形しているので、必要に応じてカバー体３のドーム部分３１をも弾性変形させることが可能となり、一層に取り付け取り外しを容易にすることが可能となる。
【００４１】
以上に、ドーム型のカメラカバー１の実施形態を説明した。
なお、上記に説明した実施形態では、ケース２１が環状に形成され、またケース２１内周の係支補助部２５も環状に形成される例について説明したが、これに限定されるものではない。即ち、ドーム型カメラの基部が本実施形態で示したような円柱状でなく、角柱状である場合には、ドーム型のカメラカバーのケースも内側に矩形状の中空部を有した矩形状など任意の形状に形成されてよい、この場合には係支補助部もケース内周の形状に合わせて矩形状など任意の形状に形成されてよい。
その他、当業者は、本発明の範囲内で、実施される形態にあわせて様々な変形例を用いることができる。
【符号の説明】
【００４２】
１      ドーム型のカメラカバー
２      固定体
２０    中空部分
２１    ケース
２２    リブ
２３    カメラ固定部
２３１  支持板
２３２  締付片
２３３  締付ねじ
２３４  ねじ孔
２４    係支片
２４１  鉤状爪
２５    係支補助部
３      カバー体
３１    ドーム部
３２    フランジ
１００  ドーム型カメラ
１０１  基部
１０２  撮像窓
１０３  ハウジング
【図１】
2010206621.tif 000003
【図２】
2010206621.tif 000004
【図３】
2010206621.tif 000005
【図４】
2010206621.tif 000006
【図５】
2010206621.tif 000007
【図６】
2010206621.tif 000008